(57)【特許請求の範囲】
【請求項１】
サブキャリア配置情報に基づいてサブキャリアが配置された光ＯＦＤＭ信号を生成し、送信する光ＯＦＤＭ信号送信手段と、
前記サブキャリア配置情報を受信部から受信するサブキャリア情報受信手段と
を備える送信部と、
前記光ＯＦＤＭ信号を受信し、隣接する光ＯＦＤＭ信号との干渉を防止するためのガードバンドが許容値より小さくなった場合、サブキャリア配置を変更または移動させることにより前記ガードバンドが前記許容値以上に維持されるようにするサブキャリア配置情報を生成する光ＯＦＤＭ信号受信手段と、
前記サブキャリア配置情報を前記送信部に送信するサブキャリア情報送信手段と
を備える受信部と、
から構成されることを特徴とする光ＯＦＤＭ信号送受信システム。
【請求項２】
前記光ＯＦＤＭ信号受信手段は、前記光ＯＦＤＭ信号送信手段の送信レーザの発振周波数の変動を確認し、該変動が所定の変動許容値を超えることにより前記ガードバンドが前記許容値より小さくなった場合、キャリア周波数間隔が狭くなった側と逆側にサブキャリアを移動させることにより前記ガードバンドが前記許容値以上に維持されるようにするサブキャリア配置情報を生成することを特徴とする請求項１に記載の光ＯＦＤＭ信号送受信システム。
【請求項３】
前記光ＯＦＤＭ信号受信手段は、隣接するＷＤＭチャネル間隔を計測し、該ＷＤＭチャネル間隔と予め設定されたＷＤＭチャネル間隔との差が所定の周波数変動許容値を超えることにより前記ガードバンドが前記許容値より小さくなった場合、サブキャリア配置を右または左に移動させることにより前記差が前記所定の周波数変動許容値内となるようにし、前記ガードバンドが前記許容値以上に維持されるようにするサブキャリア配置情報を生成することを特徴とする請求項１に記載の光ＯＦＤＭ信号送受信システム。
【請求項４】
前記光ＯＦＤＭ信号受信手段は、光源をさらに有し、
前記光ＯＦＤＭ信号受信手段は、受信した光ＯＦＤＭ信号のキャリア周波数を計測し、該キャリア周波数と前記光源の周波数との差が所定の周波数変動許容値を超えることにより前記ガードバンドが前記許容値より小さくなった場合、サブキャリア配置を右または左に移動させることにより前記差が前記所定の周波数変動許容値内となるようにし、前記ガードバンドが前記許容値以上に維持されるようにするサブキャリア配置情報を生成することを特徴とする請求項１に記載の光ＯＦＤＭ信号送受信システム。
【請求項５】
前記光ＯＦＤＭ信号受信手段は、光ＯＦＤＭ信号の周波数軸信号において、各サブキャリアのパワーから、サブキャリアの配置を推定することを特徴とする請求項１から４のいずれか１項に記載の光ＯＦＤＭ信号送受信システム。
【請求項６】
前記光ＯＦＤＭ信号送信手段は、トレーニングシンボルのタイミングで、更新されたサブキャリア配置情報を用いてサブキャリアの配置を変更し、
前記光ＯＦＤＭ信号受信手段は、更新前のサブキャリア配置情報を用いてシンボル同期を行うことできなかった場合、更新後のサブキャリア配置情報を用いてシンボル同期を行うことを特徴とする請求項１から５のいずれか１項に記載の光ＯＦＤＭ信号送受信システム。
【請求項７】
サブキャリア配置情報に基づいてサブキャリアが配置された光ＯＦＤＭ信号を生成し、送信する光ＯＦＤＭ信号送信ステップと、
前記光ＯＦＤＭ信号を受信し、隣接する光ＯＦＤＭ信号との干渉を防止するためのガードバンドが許容値より小さくなった場合、サブキャリア配置を変更または移動させることにより前記ガードバンドが前記許容値以上に維持されるようにするサブキャリア配置情報を生成する光ＯＦＤＭ信号受信ステップと、
前記サブキャリア配置情報を送信するサブキャリア情報送信ステップと、
前記サブキャリア配置情報を受信するサブキャリア情報受信ステップと
を有することを特徴とする光ＯＦＤＭ信号送受信方法。
【発明の詳細な説明】
【技術分野】
【０００１】
本発明は、光通信分野に関するものである。より詳細には、光直交周波数分割多重（ＯＦＤＭ）伝送方式による送受信システムおよびその方法に関する。
【背景技術】
【０００２】
ＯＦＤＭ変調は、送信データを複数のサブキャリアを用いて並列に伝送する方式であり（非特許文献１）、各サブキャリアのシンボル・レートが比較的低くなるためシンボル間干渉に強く、デジタル地上波放送や、無線ＬＡＮ（Local Area Network）システムで既に使用されており、光通信システムへの適用についても検討されている。
【０００３】
従来、光ＯＦＤＭ信号変調方式を１チャネルとした波長分割多重（ＷＤＭ）通信技術が提案されている。図１に示す非特許文献２のように、複数のキャリアをバンド化した光ＯＦＤＭ信号は矩形上の光スペクトルをしているため、隣接するＷＤＭチャネルとの周波数間隔を狭めることが可能であり、高い周波数利用効率を示すことが可能である。
【先行技術文献】
【非特許文献】
【０００４】
【非特許文献１】伊丹 誠、「わかりやすいＯＦＤＭ技術」、オーム社、２００５
【非特許文献２】H. Takahashi, A. A. Amin, S. L. Jansen, I.Morita and H. Tanaka, “Highly Spectrally Efficient DWDM Transmission at 7.0b/s/Hz Using 8 65.1-Gb/s Coherent PDM-OFDM,” J. Lightw. Technol.,vol. 28, no.4, pp.406-414, 2010.
【発明の概要】
【発明が解決しようとする課題】
【０００５】
しかしながら、図２ａに示すとおり、光ＯＦＤＭ信号は、サブキャリアのバンドであるメインローブの他、その周囲にサイドローブが存在する。そのため、光ＯＦＤＭ信号のサイドローブが、隣接する他の光ＯＦＤＭ信号のメインローブに重ならないよう、ガードバンドを設けて、干渉による信号劣化を防いでいる。しかし、光ＯＦＤＭ信号を生成する際にキャリア信号となるレーザの発振周波数は変動してしまうため、図２ｂに示すように、ガードバンドが狭くなり、バンド間が干渉する状態が発生し、自己および隣接チャネルともに信号劣化が発生してしまう問題があった。そのため、図２ｃに示すように、レーザの変動周波数範囲を考慮し、ガードバンドをより広くとらねばならず、周波数利用効率が上げられないという課題があった。
【０００６】
例として、図３にＷＤＭチャネル間隔とビットエラーレート（ＢＥＲ）の関係の計算結果例を示す。逆フーリエ変換（ＩＦＦＴ）のサイズを１２８、サブキャリア数を１０８とした光ＯＦＤＭ信号を隣接させた場合であり、光ＯＦＤＭ信号の帯域幅は約８．５ＧＨｚである。理解を容易にするため、ガウシアンノイズを付与し、干渉による信号劣化が無い領域ではＢＥＲが一定となるようにした。ＷＤＭチャネル間隔が１０ＧＨｚから９ＧＨｚ近傍まではチャネル間干渉が見られないが、９ＧＨｚから８．５ＧＨｚにかけてＢＥＲが急激に劣化する傾向が見て取れる。即ち、従来は、レーザの発振周波数の変動範囲を考慮して、ＢＥＲが劣化しないよう十分にＷＤＭチャネル間隔を設定する必要があった。
【０００７】
したがって、本発明は、ＷＤＭチャネル間隔を広く設定することなく、隣接チャネルとの干渉による信号劣化を防ぐことが可能な光ＯＦＤＭ伝送方式による送受信システムおよびその方法を提供することを目的とする。
【課題を解決するための手段】
【０００８】
上記目的を実現するため本発明による光ＯＦＤＭ信号送受信システムは、サブキャリア配置情報に基づいてサブキャリアが配置された光ＯＦＤＭ信号を生成し、送信する光ＯＦＤＭ信号送信手段と、前記サブキャリア配置情報を受信部から受信するサブキャリア情報受信手段とを備える送信部と、前記光ＯＦＤＭ信号を受信し、隣接する光ＯＦＤＭ信号との干渉を防止するためのガードバンドが許容値より小さくなった場合、サブキャリア配置を変更または移動させることにより前記ガードバンドが前記許容値以上に維持されるようにするサブキャリア配置情報を生成する光ＯＦＤＭ信号受信手段と、前記サブキャリア配置情報を前記送信部に送信するサブキャリア情報送信手段とを備える受信部と、から構成される。
【０００９】
また、前記光ＯＦＤＭ信号受信手段は、前記光ＯＦＤＭ信号送信手段の送信レーザの発振周波数の変動を確認し、該変動が所定の変動許容値を超えることにより前記ガードバンドが前記許容値より小さくなった場合、キャリア周波数間隔が狭くなった側と逆側にサブキャリアを移動させることにより前記ガードバンドが前記許容値以上とに維持されるようにするサブキャリア配置情報を生成することも好ましい。
【００１０】
また、前記光ＯＦＤＭ信号受信手段は、隣接するＷＤＭチャネル間隔を計測し、該ＷＤＭチャネル間隔と予め設定されたＷＤＭチャネル間隔との差が所定の周波数変動許容値を超えることにより前記ガードバンドが前記許容値より小さくなった場合、サブキャリア配置を右または左に移動させることにより前記差が前記所定の周波数変動許容値内となるようにし、前記ガードバンドが前記許容値以上に維持されるようにするサブキャリア配置情報を生成することも好ましい。
【００１１】
また、前記光ＯＦＤＭ信号受信手段は、光源をさらに有し、前記光ＯＦＤＭ信号受信手段は、受信した光ＯＦＤＭ信号のキャリア周波数を計測し、該キャリア周波数と前記光源の周波数との差が所定の周波数変動許容値を超えることにより前記ガードバンドが前記許容値より小さくなった場合、サブキャリア配置を右または左に移動させることにより前記差が前記所定の周波数変動許容値内となるようにし、前記ガードバンドが前記許容値以上に維持されるようにするサブキャリア配置情報を生成することも好ましい。
【００１２】
また、前記光ＯＦＤＭ信号受信手段は、光ＯＦＤＭ信号の周波数軸信号において、各サブキャリアのパワーから、サブキャリアの配置を推定することも好ましい。
【００１３】
また、前記光ＯＦＤＭ信号送信手段は、トレーニングシンボルのタイミングで、更新されたサブキャリア配置情報を用いてサブキャリアの配置を変更し、前記光ＯＦＤＭ信号受信手段は、更新前のサブキャリア配置情報を用いてシンボル同期を行うことできなかった場合、更新後のサブキャリア配置情報を用いてシンボル同期を行うことも好ましい。
【００１４】
上記目的を実現するため本発明による光ＯＦＤＭ信号送受信方法は、サブキャリア配置情報に基づいてサブキャリアが配置された光ＯＦＤＭ信号を生成し、送信する光ＯＦＤＭ信号送信ステップと、前記光ＯＦＤＭ信号を受信し、隣接する光ＯＦＤＭ信号との干渉を防止するためのガードバンドが許容値より小さくなった場合、サブキャリア配置を変更または移動させることにより前記ガードバンドが前記許容値以上に維持されるようにするサブキャリア配置情報を生成する光ＯＦＤＭ信号受信ステップと、前記サブキャリア配置情報を送信するサブキャリア情報送信ステップと、前記サブキャリア配置情報を受信するサブキャリア情報受信ステップとを有する。
【発明の効果】
【００１５】
本発明の光ＯＦＤＭ信号伝送の送受信システムによれば、ＷＤＭチャネル間隔を広く設定することなく、隣接チャネルとの干渉による信号劣化を防ぎ、周波数利用効率を向上するという効果を得ることができる。
【図面の簡単な説明】
【００１６】
【図１】複数のキャリアをバンド化した光ＯＦＤＭ信号を示す。
【図２】光ＯＦＤＭ信号を用いたＷＤＭ伝送の従来例が含有する問題点を示す。
【図３】ＷＤＭチャネル間隔とビットエラーレート（ＢＥＲ）の関係の計算結果例を示す。
【図４】単一チャネルの場合での本発明の光ＯＦＤＭ送受信システムの構成概要を示す。
【図５】本発明における光ＯＦＤＭ送受信システムの動作概念図を示す。
【図６】本発明における光ＯＦＤＭ送信器の詳細な構成を示す。
【図７】本発明における光ＯＦＤＭベースバンド信号発生手順について示す。
【図８】本発明におけるサブキャリア配置情報を示す。
【図９】本発明におけるＷＤＭ伝送時の構成概要を示す。
【図１０】本発明におけるＷＤＭ伝送時の光スペクトル模式図を示す。
【図１１】本発明における光ＯＦＤＭ受信器の詳細な構成を示す。
【図１２】本発明における光ＯＦＤＭ受信器の受信信号処理フローを示す。
【図１３】本発明におけるサブキャリア配置情報取得方法であり、レーザの発振周波数変動が許容誤差範囲内の場合を示す。
【図１４】本発明におけるサブキャリア配置情報取得方法であり、レーザの発振周波数変動が許容誤差範囲を超えた場合を示す。
【発明を実施するための形態】
【００１７】
本発明を実施するための最良の実施形態について、以下では図面を用いて詳細に説明する。図４は、単一チャネルの場合での本発明の光ＯＦＤＭ送受信システムの構成概要を示す。光ＯＦＤＭ送受信システムは、光送信部１と光受信部２から構成される。光送信部１は、光ＯＦＤＭ送信器１１とサブキャリア情報受信部１２を備え、光受信部２は、光ＯＦＤＭ受信器２１とサブキャリア情報送信部２２を備える。光ＯＦＤＭ送信器１１は、サブキャリア配置情報に基づいてサブキャリアを配置した光ＯＦＤＭ信号を生成して、送信する。光ＯＦＤＭ送信器１１から送信される光ＯＦＤＭ信号は、光伝送路を通過し、光ＯＦＤＭ受信器２１に至り受信される。光ＯＦＤＭ受信器２１は、受信した光ＯＦＤＭ信号からサブキャリア配置情報を生成する機能を有する。光受信部２のサブキャリア情報送信部２２は、このサブキャリア配置情報を情報フィードバック経路を通して、光送信部１のサブキャリア情報受信部１２に送信する。
【００１８】
図５は、本発明における光ＯＦＤＭ送受信システムの動作概念図を示す。図５ａの初期状態において、受信器２は、複数の光ＯＦＤＭチャネルを受信し、そのキャリア周波数間隔を計測する。送信レーザの発振周波数が変動した場合、図５ｂのように、受信器２が、送信レーザの発振周波数の変動を確認し、その変動が変動許容閾値を超えた場合（つまり、ガードバンドが許容値より小さくなった場合）、図５ｃのように数本のサブキャリアを、キャリア周波数間隔が狭くなった側と逆側に移動するようにサブキャリア配置を変更するサブキャリア配置情報を作成する。サブキャリア情報送信部２２は、情報フィードバック経路を通して、送信器１にこのサブキャリア配置情報を通知し、送信器１がサブキャリア情報受信部１２でサブキャリア配置情報を受信する。送信器１の光ＯＦＤＭ送信器１１は、このサブキャリア配置変更情報に基づいて、図５ｄのような光ＯＦＤＭ信号を送信する。これにより、レーザの発振周波数変動が許容誤差範囲を超えた場合でも、ガードバンドを許容値以内に維持できる。これにより信号劣化を抑制できる。
【００１９】
図６は、本発明における光ＯＦＤＭ送信器の詳細な構成を示す。光ＯＦＤＭ送信器１１は、光源１３、光変調器１４、ＯＦＤＭベースバンド信号発生器１５を備えている。光ＯＦＤＭ送信器１１は、光源１３からのレーザ光を光変調器１４に入力する。ＯＦＤＭベースバンド信号発生器１５からの電気信号に基づき、光変調器１４はレーザ光を光ＯＦＤＭ信号に変調する。光送信部１は、この信号を光伝送路に送信する。また、情報フィードバック経路から配信されるサブキャリア配置情報をサブキャリア情報受信部１２が受信し、その情報をＯＦＤＭベースバンド信号発生器１５に伝達する。
【００２０】
図７は、本発明におけるＯＦＤＭベースバンド信号発生手順について示す。まず、光ＯＦＤＭ送信器１１は、送信される情報をバイナリデータとして入力する。ここでは、サブキャリア数は４としている。
【００２１】
次に、サブキャリアマッピングを行う。図では例としてＱＰＳＫ（２ｂｉｔ／ｓ／Ｈｚ）を用い、２ビットを複素数の１シンボルに割り当てる。マッピングの一例として、０１を１−１ｉ、１１を１＋１ｉ、１０を−１＋１ｉ、００を−１−１ｉとする。
【００２２】
次に、サブキャリア配置情報を形成する。逆高速フーリエ変換（ＩＦＦＴ）の処理サイズであるＩＦＦＴサイズがサブキャリアの上限であり、そのＩＦＦＴサイズ内において必要なビットレートが得られるようにサブキャリアを配置する。即ち、サブキャリアを全て配置した場合が最大ビットレートＲ＿ｍａｘとなり、ビットレートＲはＲ＿ｍａｘ×（サブキャリア数／ＩＦＦＴサイズ）となる。
【００２３】
次に、サブキャリア配置情報に基づき、サブキャリアを配置する。サブキャリアが配置されないところは、０とする。これをゼロパディングと呼び、周波数軸信号となる。
【００２４】
次に、この周波数軸信号をＩＦＦＴすることにより、時間軸信号が生成される。この１回の処理で生成される時間軸信号が、１シンボルとなり、これを連続的に繰り返すことで、シンボル列となり、連続した光ＯＦＤＭ信号となる。
【００２５】
この時間軸信号を、デジタル・アナログ変換し、電気信号発生器により、時間軸電気信号が発生される。この電気信号が、図６におけるＯＦＤＭベースバンド信号発生器１５から光変調器１４へ供給されるＯＦＤＭベースバンド信号である。
【００２６】
図８に、本発明におけるサブキャリア配置情報を示す。横軸は周波数である。例１では、ＩＦＦＴサイズ８に対しサブキャリア数４を、中央から左右均等に配置した例である。例２は、サブキャリアを中央から左に３、右に１としたもの、例３は左に１、右に３とそれぞれ配置したものであり、占有帯域幅を維持したまま、周波数軸を移動することが可能である。
【００２７】
図９に、本発明におけるＷＤＭ伝送時の構成概要を示す。ここでは基本となる３ＷＤＭの例を示す。図４に示す１チャネルの例が３つあるが、光伝送路は１つとし、その入出力にＷＤＭ信号を合波・分波するための合波器・分波器がある。これにより、１つの光伝送路を複数のＷＤＭ信号が伝搬する。
【００２８】
図１０は、本発明におけるＷＤＭ伝送時の光スペクトル模式図を示す。図９の構成のＷＤＭ時の光スペクトルを示す。ここでは、ＷＤＭチャネル間隔をＦ＿ｃｈに設定し、ガードバンドをｆｇとする。
【００２９】
図１１に、本発明における光ＯＦＤＭ受信器の詳細な構成を示す。光ＯＦＤＭ受信器２１は、光源２３、９０°ハイブリッド干渉系２４、光電気変換器２５、アナログ・デジタル変換器２６、および信号処理部２７を備えている。
【００３０】
９０°ハイブリッド干渉系２４は、受信器２が有する光源２３と、光ＯＦＤＭ信号を干渉させるものである。９０°ハイブリッド干渉系２４は、光源２３を２分岐し、９０°位相差を設けた状態で、光ＯＦＤＭ信号と干渉させ、Ｉ成分、Ｑ成分として光出力する。光電気変換器２５は、それぞれの成分のパワー変化を電気信号に変換し、その信号をアナログ・デジタル変換器２６に出力する、アナログ・デジタル変換器２６は、それぞれの信号をデジタル信号化した上で、信号処理部２７に入力する。信号処理部２７において光ＯＦＤＭ信号が復調される。サブキャリア情報送信部２２は、信号処理部２７からサブキャリア配置情報を受け取り、情報フィードバック経路に送信する機能を具備する。
【００３１】
図１２は、本発明における光ＯＦＤＭ受信器の受信信号処理フローを示す。
まず、ＯＦＤＭ信号を時間・周波数変換する。ここで、２つの別の処理が行われる。その一つは、（１）ＯＦＤＭ信号を受信するためのプロセスであり、もう１つは（２）キャリア周波数差計測プロセスである。
【００３２】
（１）ＯＦＤＭ信号受信プロセス
手順Ａ：周波数軸情報から、復調するＯＦＤＭ信号を選択する。選択したＯＦＤＭ信号をデジタルフィルタで抽出し、単一のＯＦＤＭ信号の時間信号のみとする。
手順Ｂ：送信器の光源と受信器の光源とがそれぞれ具備する位相雑音の差分による位相雑音を補償する。その例として非特許文献１に記載されているＲＦパイロットトーン方式がある。
手順Ｃ：次に、送信信号に含まれる既知のパターンを用いてシンボル同期を行う。
手順Ｄ：同期によりシンボル位置を確認した上でＦＦＴを行う。これにより時間軸から周波数軸信号に変換される。
手順Ｅ：次に、周波数軸において、各サブキャリアのパワーを算出する。閾値Ｐを超えるパワーを持つ成分が、サブキャリアであるとみなす。例えば、総サブキャリアのパワーの平均値を閾値とし、平均値を上回る成分にサブキャリアが配置されていると判断する。
手順Ｆ：上記に基づき、サブキャリアが配置されているところからサブキャリアを抽出する。
手順Ｇ：抽出された各サブキャリアをサブキャリア変調種別（例：ＱＰＳＫ）に応じてデマッピングし、バイナリデータ化する。これにより復調が完了する。
【００３３】
（２）キャリア周波数差計測プロセス
時間軸・周波数軸変換された信号から、隣接光ＯＦＤＭ信号間のキャリア周波数差を計測する。設定値であるＷＤＭチャネル間隔ｆ＿ｃｈ、周波数変動許容値Δｆ＿ｌｉｍｉｔから、サブキャリア配置情報を決定し、生成する。図１３、１４において、サブキャリア配置情報取得方法を説明する。
【００３４】
図１３は、本発明におけるサブキャリア配置情報取得方法であり、レーザの発振周波数変動が許容誤差範囲内の場合を示す。周波数軸において、左側の隣接チャネルとのキャリア周波数間隔はｆ＿Ｌ（測定値）であり、右側のそれはｆ＿Ｒ（測定値）である。
ｆ＿ｃｈ−Δｆ＿ｌｉｍｉｔ＜ｆ＿Ｌ＜ｆ＿ｃｈ＋Δｆ＿ｌｉｍｉｔ且つ
ｆ＿ｃｈ−Δｆ＿ｌｉｍｉｔ＜ｆ＿Ｒ＜ｆ＿ｃｈ＋Δｆ＿ｌｉｍｉｔの場合、
即ち、ｆ＿Ｌとｆ＿Ｒがｆ＿ｃｈからの許容誤差範囲以内では、サブキャリア配置情報は初期値のまま（ここでは中央から両側に均等配置）である。
【００３５】
図１４は、本発明におけるサブキャリア配置情報取得方法であり、レーザの発振周波数変動が許容誤差範囲を超えた場合を示す。
ｆ＿ｃｈ−Δｆ＿ｌｉｍｉｔ＞ｆ＿Ｌ
になった場合である。この場合、サブキャリア配置情報を変更する。差分（ｆ＿ｃｈ−ｆ＿Ｌ）から、サブキャリア帯域Ｂ＿ｓｃ×ｎ（ｎ：整数）を引いた際、Δｆ＿ｌｉｍｉｔより小さくなるような最小のｎを算出する。つまり、
（ｆ＿ｃｈ−ｆ＿Ｌ）−Ｂ＿ｓｃ×ｎ＜Δｆ＿ｌｉｍｉｔ
を満たす最小のｎを算出する。そのｎを用いて、サブキャリア配置情報に、左側（低周波数側）から順に０をｎ個設定し、逆に右側（高周波数側）に１をｎ個設定する。同様に、右側にキャリアがシフトした場合も同様の手順を行うことでシフト可能である。
【００３６】
この情報をサブキャリア情報送信部２２が光送信部１に送付することにより、光送信部１は更新されたサブキャリア配置情報に基づいた信号を生成して送信する。これによりキャリアの周波数変動を補償することができる。
【００３７】
また、上記実施形態の受信部において、隣接チャネルのキャリア周波数間隔を計測した値に基づいて制御が行われたが、受信器がローカルに具備する光源の周波数から、受信する光ＯＦＤＭ信号のキャリア周波数との差分値を用いて制御することも可能である。この周波数差｜ｆｃ｜が、ｆ＿ｌｉｍｉｔを超えた場合、上記実施形態の（２）のプロセスと同様、左右いずれかのサブキャリア配置を逆側に移動することで、上記実施形態と同様の制御を行うことが可能である。
【００３８】
また、上記実施形態の受信部において、サブキャリア配置の推定を、手順Ｅにおいて、パワーの閾値を用いて行うとしたが、受信部で算出したサブキャリア配置情報を用いることも可能である。
【００３９】
この場合、まず、サブキャリア配置情報を受信した光送信部１は、周期的に挿入されるトレーニングシンボルから、新たな配置に変更する。
【００４０】
手順Ｄにおいて、シンボル同期を行う際、光受信部２でマッチングを行うための新たな時間波形を生成する。更新されたサブキャリア配置情報に基づき、マッチング用時間波形を生成する。受信信号を、更新前のマッチング用時間波形で同期できなくなった場合、サブキャリア配置が変更されたシンボルが到着したと判断し、再度その受信信号に対し、更新されたマッチング用時間波形を用いて同期を行う。これにより同期が可能となる。
【００４１】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００４２】
１  光送信部
１１  光ＯＦＤＭ送信器
１２  サブキャリア情報受信部
１３  光源
１４  光変調器
１５  ＯＦＤＭベースバンド信号発生器
２  光受信部
２１  光ＯＦＤＭ受信器
２２  サブキャリア情報送信部
２３  光源
２４  ９０°ハイブリッド干渉系
２５  光電気変換器
２６  アナログ・デジタル変換器
２７  信号処理部
【図１】
0005610581.tif 000002
【図２】
0005610581.tif 000003
【図３】
0005610581.tif 000004
【図４】
0005610581.tif 000005
【図５】
0005610581.tif 000006
【図６】
0005610581.tif 000007
【図７】
0005610581.tif 000008
【図８】
0005610581.tif 000009
【図９】
0005610581.tif 000010
【図１０】
0005610581.tif 000011
【図１１】
0005610581.tif 000012
【図１２】
0005610581.tif 000013
【図１３】
0005610581.tif 000014
【図１４】
0005610581.tif 000015